(57)【要約】【課題】矯正歯科用埋込具のヘッド部に触れて傷ができることを防ぐ。【解決手段】スクリューキャップ１０は、（ａ）開口１６が形成された本体１１と、（ｂ）本体１１の内部に形成され、開口１６に連通する内部空間１８とを有する。矯正歯科用埋込具は、スクリュー部とヘッド部とを有する。スクリューキャップ１０は、その内部空間１８に矯正歯科用埋込具のヘッド部の少なくとも一部が挿入され、矯正歯科用埋込具のヘッド部の少なくとも一部に冠着される。【選択図】図１
2010042131.tif 000002
【特許請求の範囲】
【請求項１】
スクリュー部とヘッド部とを有する矯正歯科用埋込具に用いるスクリューキャップであって、
開口が形成された本体と、
前記本体の内部に形成され、前記開口に連通する内部空間と、
を有し、
前記内部空間に前記矯正歯科用埋込具の前記ヘッド部の少なくとも一部が挿入され、前記矯正歯科用埋込具の前記ヘッド部の少なくとも一部に冠着されることを特徴とする、スクリューキャップ。
【請求項２】
前記本体は、弾力部材により形成され、
前記内部空間は、前記開口と平行な断面の大部分が、前記開口の近傍部分の前記開口と平行な断面よりも大きいことを特徴とする、請求項１に記載のスクリューキャップ。
【請求項３】
前記弾力部材がシリコンゴムであることを特徴とする、請求項１又は２に記載のスクリューキャップ。
【請求項４】
前記本体は、
実質的に半球形状の上部と、
実質的に円筒形状の下部と、
を有し、
前記下部の底面に前記開口が形成されていることを特徴とする、請求項１、２又は３に記載のスクリューキャップ。
【発明の詳細な説明】
【技術分野】
【０００１】
本発明は、スクリューキャップに関し、詳しくは、矯正歯科用埋込具に用いるスクリューキャップに関する。
【背景技術】
【０００２】
従来、矯正歯科の分野において、ミニスクリュー（mini-screw）やアンカースクリュー（anchor-screw）等の呼ばれる矯正歯科用埋込具が用いられている。このような矯正歯科用埋込具は、スクリュー部が歯槽骨等の骨内に植立され、ヘッド部が、口腔内において外部に露出する。このヘッド部には、ワイヤを引っ掛けたり挿通したりするためのくびれ部や挿通孔が形成される。また、ヘッド部には、ツールが嵌合される略角柱形状部分やツールが係合される十字溝などが形成され、ツールを用いてヘッド部が回転され、スクリュー部がねじ込まれる（例えば、特許文献１、２参照）。
【特許文献１】特表平１０−５０７３８７号公報
【特許文献２】特開２００１−１８７０７１号公報
【発明の開示】
【発明が解決しようとする課題】
【０００３】
矯正歯科用埋込具は、小さいほど、歯に加える力の向きを正確に、また自由に制御することができ、より精密な歯科矯正が可能となる。また、目立たず、違和感も少なくなる。
【０００４】
しかし、矯正歯科用埋込具を小さくすると、複雑な形状のヘッド部は、角の丸みを小さくせざるを得ない。ヘッド部の角の丸みが小さいと、口腔内においてヘッド部が舌の裏側や頬の内側に触れて傷ができ、潰瘍ができやすくなる。
【０００５】
本発明は、かかる実情に鑑み、矯正歯科用埋込具のヘッド部に触れて傷ができることを防ぐことを目的とする。
【課題を解決するための手段】
【０００６】
本発明は、上記課題を解決するために、以下のように構成したスクリューキャップを提供する。
【０００７】
スクリューキャップは、スクリュー部とヘッド部とを有する矯正歯科用埋込具に用いる。スクリューキャップは、（ａ）開口が形成された本体と、（ｂ）前記本体の内部に形成され、前記開口に連通する内部空間とを有する。スクリューキャップは、前記内部空間に前記矯正歯科用埋込具の前記ヘッド部の少なくとも一部が挿入され、前記矯正歯科用埋込具の前記ヘッド部の少なくとも一部に冠着される。
【０００８】
上記構成によれば、矯正歯科用埋込具のヘッド部の少なくとも一部に、スクリューキャップを被せるように着けることができる。植立された矯正歯科用埋込具のヘッド部の少なくとも一部は、舌の裏側や頬の内側に触れることがないように、スクリューキャップで覆われるようにすることができる。これによって、矯正歯科用埋込具のヘッド部に触れて傷ができることを防ぐことができる。
【０００９】
好ましくは、前記本体は、弾力部材により形成される。前記内部空間は、前記開口と平行な断面の大部分が、前記開口の近傍部分の前記開口と平行な断面よりも大きい。
【００１０】
この場合、スクリューキャップの内部空間は、開口よりも広がっているので、例えば、先端部分が太く、中間部分が細い矯正歯科用埋込具のヘッド部に冠着し、矯正歯科用埋込具のヘッド部の先端部分をスクリューキャップの内部空間に収納することで、スクリューキャップが矯正歯科用埋込具のヘッド部から外れにくくなるようにすることができる。
【００１１】
好ましくは、前記弾力部材がシリコンゴムである。
【００１２】
この場合、矯正歯科用埋込具のヘッド部に冠着されたスクリューキャップが外れて飲み込まれても、スクリューキャップが人体に無害であるようにすることができる。
【００１３】
好ましくは、前記本体は、実質的に半球形状の上部と、実質的に円筒形状の下部とを有する。前記下部の底面に前記開口が形成されている。
【００１４】
この場合、植立された矯正歯科用埋込具のヘッド部にスクリューキャップが冠着されたとき、スクリューキャップの上部が、突出する先端になる。スクリューキャップの上部が丸いため、矯正歯科用埋込具のヘッド部に冠着されたとき、スクリューキャップは、引っかかりにくく、無理な力が作用しにくいため、外れにくい。また、舌の裏側や頬の内側がスクリューキャップに触れても、違和感が少ない。
【発明の効果】
【００１５】
本発明のキャップスクリューを用いると、矯正歯科用埋込具のヘッド部に触れて傷ができることを防ぐことができる。
【発明を実施するための最良の形態】
【００１６】
以下、本発明の実施の形態について、図１〜図３を参照しながら説明する。
【００１７】
＜実施例＞  図１（ａ）は、スクリューキャップ１０の平面図である。図１（ｂ）は、図１（ａ）の線Ｘ−Ｘに沿って切断した断面図である。
【００１８】
図１に示すように、スクリューキャップ１０の本体１１は、略半球形状の上部１１ａと略円筒形状の下部１１ｂとを有し、上面１２は略半球形状の曲面である。
【００１９】
スクリューキャップ１０は、詳しくは後述するが、矯正歯科用埋込具のヘッド部に容易に被せて取り付けることができるように、弾力部材で形成することが好ましい。さらには、スクリューキャップ１０が、万一、外れて飲み込まれても、人体に無害となるように、シリコンゴムで形成することがより好ましい。
【００２０】
スクリューキャップ１０は、本体１１の下部１１ｂの底面１４に、開口１６が形成されている。本体１１の内部には、開口１６に連通する内部空間１８が形成されている。内部空間１８は、略円筒形状であり、開口１６付近では開口１６に向けて略円錐状に細くなっている。この略円錐状に細くなる部分は、本体１１の開口１６の近傍部分のくさび部１５によって形成されている。くさび部１５は、全周に渡ってリング状に連続的に形成されても、部分的又は間欠的に形成されてもよい。また、くさび部１５の断面形状は、三角形に限らず、矩形、半円形等でも構わない。
【００２１】
図２（ａ）は、スクリューキャップ１０を冠着することができる矯正歯科用埋込具２０の平面図である。図２（ｂ）は、スクリューキャップ１０を冠着することができる矯正歯科用埋込具２０の正面図である。図２（ｃ）は、スクリューキャップ１０が冠着されたときの矯正歯科用埋込具２０の正面図である。
【００２２】
図２（ａ）及び（ｂ）に示すように、矯正歯科用埋込具２０は、スクリュー部２８とヘッド部２１とを有する。スクリュー部２８は、歯槽骨等の骨内にねじ込まれる。スクリュー部２８がねじ込まれたとき、ヘッド部２１は突出しており、口腔内において外部に露出する。
【００２３】
図２（ｂ）に示すように、ヘッド部２１は、上端側の係合部２２と、スクリュー部２８に隣接するフランジ部２６との間に、くびれ部２４が形成されている。
【００２４】
図２（ａ）及び（ｂ）に示すように、係合部２２は、略六角柱形状であり、断面が略正六角形である。係合部２２の上面２２ａには、十字溝２３が形成されている。係合部２２の側面２２ｂにツールを嵌め、あるいは十字溝２３にツールの先端を挿入して、ツールを係合部２２に係合させた状態でツールを回わすことにより、スクリュー部２８をねじ込むことができる。
【００２５】
図２（ｂ）に示すように、くびれ部２４には、ワイヤ等を挿通するための貫通孔２５が形成されている。なお、くびれ部２４に貫通孔２５が形成されない構成としてもよい。
【００２６】
スクリューキャップ１０の本体１１が弾力部材で構成されていると、スクリューキャップ１０の開口１６が矯正歯科用埋込具２０の係合部２２に重なる状態で、スクリューキャップ１０を、矯正歯科用埋込具２０のスクリュー部２８側に押し付けることによって、スクリューキャップ１０の内部空間１８に矯正歯科用埋込具２０の係合部２２が収納されるようにすることができる。すなわち、矯正歯科用埋込具２０のヘッド部２１の係合部２２にスクリューキャップ１０を容易に冠着することができる。
【００２７】
スクリューキャップ１０が矯正歯科用埋込具２０のヘッド部２１の係合部２２に冠着されたとき、スクリューキャップ１０は、開口１６の近傍のくさび部１５（図１参照）が矯正歯科用埋込具２０のヘッド部２１の係合部２２の下面２２ｃ（図２（ｂ）参照）に対向し、又は係合し、スクリューキャップ１０が矯正歯科用埋込具２０のヘッド部２１から外れることを阻止する。そのため、矯正歯科用埋込具２０のヘッド部２１の係合部２２から外れにくい。
【００２８】
スクリューキャップ１０の開口１６近傍のくさび部１５（図１参照）の内径を、矯正歯科用埋込具２０のヘッド部２１の係合部２２に隣接するくびれ部２４の外径よりも小さくすれば、スクリューキャップ１０の開口１６近傍のくさび部１５（図１参照）が矯正歯科用埋込具２０のヘッド部２１の係合部２２に隣接するくびれ部２４を弾力的に締め付け、スクリューキャップ１０は、一層、はずれにくくなる。
【００２９】
矯正歯科用埋込具２０のヘッド部２１の係合部２２は、十字溝２３が形成された複雑な形状であり、舌の裏側や頬の内側に触れると傷ができやすい。このような矯正歯科用埋込具２０のヘッド部２１の係合部２２にスクリューキャップ１０を冠着すると、矯正歯科用埋込具２０のヘッド部２１の係合部２２はスクリューキャップ１０で覆われるため、矯正歯科用埋込具２０のヘッド部２１の係合部２２に、舌の裏側や頬の内側が触れないようにすることができる。これによって、矯正歯科用埋込具２０のヘッド部２１の係合部２２に触れて傷ができることを防ぐことができる。
【００３０】
スクリューキャップ１０の上面１２が丸く形成されているため、矯正歯科用埋込具２０のヘッド部２１の係合部２２に冠着されたスクリューキャップ１０は、引っかかりにくく、無理な力が作用しにくいため、外れにくい。また、舌の裏側や頬の内側がスクリューキャップに触れても、違和感が少ない。
【００３１】
図３は、スクリューキャップ１０を冠着することができる他の矯正歯科用埋込具３０の正面図である。図３に示すように、矯正歯科用埋込具３０は、スクリュー部３８とヘッド部３１とを有する。ヘッド部３１は、スクリュー部３８に隣接する係合部３６と上端部３２との間に、くびれ部３４が形成されている。
【００３２】
係合部３６は、略六角柱形状であり、ワイヤ等を挿通するための貫通孔３７が形成されている。なお、係合部３６に貫通孔３７が形成されない構成としてもかまわない。
【００３３】
鎖線で示すように、スクリューキャップ１０は、矯正歯科用埋込具３０の上端部３２に冠着される。
【００３４】
スクリューキャップ１０が矯正歯科用埋込具３０の上端部３２に冠着されるとき、スクリューキャップ１０の開口１６の近傍のくさび部１５（図１（ｂ）参照）は、まず、矯正歯科用埋込具３０の上端部３２で広げられる。矯正歯科用埋込具３０の上端部３２が、スクリューキャップ１０の内部空間１８の奥まで挿入されると、スクリューキャップ１０の開口１６に矯正歯科用埋込具３０のくびれ部３４が挿通され、スクリューキャップ１０の開口１６の近傍のくさび部１５は元の大きさに戻る。そして、スクリューキャップ１０の開口１６の近傍のくさび部１５は、矯正歯科用埋込具３０のヘッド部３１の上端部３２の下面３３に対向し、又は係合し、矯正歯科用埋込具３０の上端部３２がスクリューキャップ１０の開口１６を通過することを阻止するため、スクリューキャップ１０が外れにくい。
【００３５】
＜まとめ＞  植立された矯正歯科用埋込具のヘッド部の少なくとも一部にスクリューキャップを冠着し、矯正歯科用埋込具のヘッド部の少なくとも一部をスクリューキャップで覆うことにより、矯正歯科用埋込具のヘッド部の少なくとも一部が舌の裏側や頬の内側に触れることがないようにすることができる。これによって、矯正歯科用埋込具のヘッド部に触れて傷ができることを防ぐことができる。
【００３６】
なお、本発明は、上記実施の形態に限定されるものではなく、種々変更を加えて実施することが可能である。
【００３７】
例えば、スクリューキャップの適宜位置（例えば側面）に、ワイヤを挿通するためのスリットや溝、孔等を形成してもよい。
【００３８】
また、本発明のスクリューキャップは、種々の形状の矯正歯科用埋込具のヘッド部の一部又は全部に冠着することができる。
【図面の簡単な説明】
【００３９】
【図１】スクリューキャップの（ａ）平面図、（ｂ）断面図である。（実施例）
【図２】矯正歯科用埋込具の（ａ）上面図、（ｂ）正面図、（ｃ）スクリューキャップを冠着した状態の正面図である。（実施例）
【図３】他の矯正歯科用埋込具の正面図である。（実施例）
【符号の説明】
【００４０】
１０  スクリューキャップ
１１  本体
１４  底面
１５  くさび部
１６  開口
１８  内部空間
２０  矯正歯科用埋込具
２１  ヘッド部
２８  スクリュー部
３０  矯正歯科用埋込具
３１  ヘッド部
３８  スクリュー部
【図１】
2010042131.tif 000003
【図２】
2010042131.tif 000004
【図３】
2010042131.tif 000005